(57)【要約】【課題】  正当な作業者以外の第三者による光学情報読取機能を利用した業務処理を禁止できるセキュリティ性の高い複合型情報読取書込装置を提供する。【解決手段】  光学情報読取部２３１および電波情報読取書込部２３２を備える複合型情報読取書込装置２３０の電波情報読取機能により作業者が所持するＲＦＩＤ２２０から「光学情報読取部の利用許可を与えるデータ」を読み取った場合にのみ、複合型情報読取書込装置２３０の光学情報読取部２３１の機能を有効化する。【選択図】    図２
2005115792.tif 000002
【特許請求の範囲】
【請求項１】
光学情報の読み取り処理を行う光学情報読取部と、データキャリアに対して電波情報の読み取り処理と書き込み処理を行う電波情報読取書込部とを備え、前記電波情報読取書込部により前記データキャリアから前記光学情報読取部の利用を許可するデータを読み取ると、前記光学情報読取部の機能を有効にすることを特徴とする複合型情報読取書込装置。
【請求項２】
請求項１記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記光学情報読取部の利用を許可するデータを読み取ると、前記光学情報読取部の機能を有効にすることを特徴とする複合型情報読取書込装置。
【請求項３】
請求項１もしくは２のいずれかに記載の複合型情報読取書込装置であって、情報端末とデータの送受信を行う通信部を備え、前記電波情報読取書込部により前記データキャリアから前記通信部を介した前記情報端末とのデータの送受信を許可するデータを読み取ると、前記通信部の機能を有効にすることを特徴とする複合型情報読取書込装置。
【請求項４】
請求項１乃至３のいずれかに記載の複合型情報読取書込装置であって、時計部と、前記時計部から得た時刻を記憶する記憶部とを備え、前記光学情報読取部の機能が有効になった時刻を前記記憶部に記憶することを特徴とする複合型情報読取書込装置。
【請求項５】
請求項１乃至３のいずれかに記載の複合型情報読取書込装置であって、時計部を備え、前記光学情報読取部の機能が有効になった時刻を前記電波情報読取書込部により前記データキャリアへ書き込むことを特徴とする複合型情報読取書込装置。
【請求項６】
光学情報の読み取り処理を行う光学情報読取部と、データキャリアに対して電波情報の読み取り処理と書き込み処理を行う電波情報読取書込部と、情報端末とデータの送受信を行う通信部と、時計部と、前記時計部から得た時刻を記憶する記憶部とを備え、前記通信部を介して前記情報端末より所定の命令を受け取った時刻を前記記憶部に記憶することを特徴とする複合型情報読取書込装置。
【請求項７】
光学情報の読み取り処理を行う光学情報読取部と、データキャリアに対して電波情報の読み取り処理と書き込み処理を行う電波情報読取書込部と、情報端末とデータの送受信を行う通信部と、時計部と、を備え、前記通信部を介して前記情報端末より所定の命令を受け取った時刻を前記電波情報読取書込部により前記データキャリアへ書き込むことを特徴とする複合型情報読取書込装置。
【請求項８】
請求項６記載の複合型情報読取書込装置であって、前記通信部の機能が有効になると、前記通信部を介して前記情報端末へ接続の確立を要求する命令を送信し、前記通信部を介して前記情報端末から接続要求を受けつけたことを通知する命令を受信し、この命令を受け取った時刻を前記記憶部に記憶することを特徴とする複合型情報読取書込装置。
【請求項９】
請求項７記載の複合型情報読取書込装置であって、前記通信部の機能が有効になると、前記通信部を介して前記情報端末へ接続の確立を要求する命令を送信し、前記通信部を介して前記情報端末から接続要求を受けつけたことを通知する命令を受信し、この命令を受け取った時刻を前記データキャリアへ書き込むことを特徴とする複合型情報読取書込装置。
【請求項１０】
光学情報の読み取り処理を行う光学情報読取部と、データキャリアに対して電波情報の読み取り処理と書き込み処理を行う電波情報読取書込部と、情報端末とデータの送受信を行う通信部とを備え、前記情報端末から送信される前記光学情報読取部の機能を有効にする命令もしくは前記電波情報読取書込部の機能を有効にする命令の少なくとも一方を受けて、前記光学情報読取部もしくは前記電波情報読取書込部の少なくとも一方の機能を有効にすることを特徴とする複合型情報読取書込装置。
【請求項１１】
光学情報の読み取り処理を行う光学情報読取部と、データキャリアに対して電波情報の読み取り処理と書き込み処理を行う電波情報読取書込部と、情報端末とデータの送受信を行う通信部とを備え、前記電波情報読取書込部により前記データキャリアから前記情報端末が備える入力部の機能を有効にするデータを読み取ると、前記通信部を介して前記情報端末が備える入力部の機能を有効にする命令を前記情報端末へ送信することを特徴とする複合型情報読取書込装置。
【請求項１２】
請求項１１記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記情報端末が備える入力部の機能を有効にするデータを読み取ると、前記通信部を介して前記情報端末が備える入力部の機能を有効にする命令を前記情報端末へ送信することを特徴とする複合型情報読取書込装置。
【請求項１３】
光学情報の読み取り処理を行う光学情報読取部と、データキャリアに対して電波情報の読み取り処理と書き込み処理を行う電波情報読取書込部と、金銭収納部を備える情報端末とデータの送受信を行う通信部と備え、前記電波情報読取書込部により前記データキャリアから金銭収納部の開放を要求するデータを読み取ると、前記通信部を介して金銭収納部の開放を要求する命令を前記情報端末へ送信することを特徴とする複合型情報読取書込装置。
【請求項１４】
請求項１３記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記金銭収納部の開放を要求するデータを読み取ると、前記通信部を介して前記金銭収納部の開放を要求する命令を前記情報端末へ送信することを特徴とする複合型情報読取書込装置。
【請求項１５】
光学情報の読み取り処理を行う光学情報読取部と、データキャリアに対して電波情報の読み取り処理と書き込み処理を行う電波情報読取書込部と、門扉開閉制御部を備える情報端末とデータの送受信を行う通信部とを備え、前記電波情報読取書込部により前記データキャリアから門扉の開門を要求するデータを読み取ると、前記通信部を介して門扉の開門を要求する命令を前記情報端末へ送信することを特徴とする複合型情報読取書込装置。
【請求項１６】
請求項１５記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記門扉の開門を要求するデータを読み取ると、前記通信部を介して前記門扉の開門を要求する命令を前記情報端末へ送信することを特徴とする複合型情報読取書込装置。
【請求項１７】
光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、
前記複合型情報読取書込装置は、前記電波情報読取書込部により前記データキャリアから前記光学情報読取部の利用を許可するデータを読み取ると、前記光学情報読取部の機能を有効にすることを特徴とする情報処理システム。
【請求項１８】
請求項１７記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記光学情報読取部の利用を許可するデータを読み取ると、前記光学情報読取部の機能を有効にすることを特徴とする情報処理システム。
【請求項１９】
請求項１７もしくは１８のいずれかに記載の情報処理システムであって、前記複合型情報読取書込装置は、前記電波情報読取書込部により前記データキャリアから前記情報端末とのデータの送受信を許可するデータを読み取ると、前記複合型情報読取書込装置の通信部の機能を有効にすることを特徴とする情報処理システム。
【請求項２０】
請求項１７乃至１９のいずれかに記載の情報処理システムであって、前記複合型情報読取書込装置は時計部と前記時計部から得た時刻を記憶する記憶部とを備え、前記光学情報読取部の機能が有効になった時刻を前記記憶部に記憶することを特徴とする情報処理システム。
【請求項２１】
請求項１７乃至１９のいずれかに記載の情報処理システムであって、前記複合型情報読取書込装置は時計部を備え、前記光学情報読取部の機能が有効になった時刻を前記電波情報読取書込部により前記データキャリアへ書き込むことを特徴とする情報処理システム。
【請求項２２】
光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、
前記複合型情報読取書込装置は時計部と前記時計部から得た時刻を記憶する記憶部とを備え、前記情報端末より所定の命令を受け取った時刻を前記記憶部に記憶することを特徴とする情報処理システム。
【請求項２３】
光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、
前記複合型情報読取書込装置は時計部を備え、前記情報端末より所定の命令を受け取った時刻を前記電波情報読取書込部により前記データキャリアへ書き込むことを特徴とする情報処理システム。
【請求項２４】
請求項２２記載の情報処理システムであって、前記複合型情報読取書込装置は、前記複合型情報読取書込装置の通信部の機能が有効になると、前記情報端末へ接続の確立を要求する命令を送信し、前記情報端末から接続要求を受けつけたことを通知する命令を受信し、この命令を受け取った時刻を前記記憶部に記憶することを特徴とする情報処理システム。
【請求項２５】
請求項２３記載の情報処理システムであって、前記複合型情報読取書込装置は、前記複合型情報読取書込装置の通信部の機能が有効になると、前記情報端末へ接続の確立を要求する命令を送信し、前記情報端末から接続要求を受けつけたことを通知する命令を受信し、この命令を受け取った時刻を前記データキャリアへ書き込むことを特徴とする情報処理システム。
【請求項２６】
光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、
前記情報端末は前記光学情報読取部の機能を有効にする命令もしくは前記電波情報読取書込部の機能を有効にする命令の少なくとも一方を記憶しており、
前記複合型情報読取書込装置は前記情報端末からこれらの命令のうちの少なくとも一方を受けて、前記光学情報読取部もしくは前記電波情報読取書込部の少なくとも一方の機能を有効にすることを特徴とする情報処理システム。
【請求項２７】
光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、
前記情報端末が備える入力部の機能は通常無効状態になっており、前記複合型情報読取書込装置が前記電波情報読取書込部により前記データキャリアから前記情報端末が備える入力部の機能を有効にするデータを読み取り、前記情報端末が備える入力部の機能を有効にする命令を前記情報端末へ送信すると、前記情報端末が備える入力部の機能は有効になることを特徴とする情報処理システム。
【請求項２８】
請求項２７記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記情報端末が備える入力部の機能を有効にするデータを読み取ると、前記情報端末が備える入力部の機能を有効にする命令を前記情報端末へ送信することを特徴とする情報処理システム。
【請求項２９】
光学情報の読み取り処理を行う光学情報読取部とデータキャリアに対して電波情報の読み取り処理と書き込み処理を行う電波情報読取書込部とを備える少なくとも一台の複合型情報読取書込装置と、金銭収納部を備える少なくとも一台の情報端末と、からなり、それぞれが備える通信部を介してデータの送受信を行う情報処理システムであって、
前記金銭収納部は通常閉じた状態にあり、前記複合型情報読取書込装置が前記電波情報読取書込部により前記データキャリアから金銭収納部の開放を要求するデータを読み取り、金銭収納部の開放を要求する命令を前記情報端末へ送信すると、前記金銭収納部が開放されることを特徴とする情報処理システム。
【請求項３０】
請求項２９記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記金銭収納部の開放を要求するデータを読み取ると、前記金銭収納部の開放を要求する命令を前記情報端末へ送信することを特徴とする情報処理システム。
【請求項３１】
光学情報の読み取り処理を行う光学情報読取部とデータキャリアに対して電波情報の読み取り処理と書き込み処理を行う電波情報読取書込部とを備える少なくとも一台の複合型情報読取書込装置と、門扉開閉制御を備える少なくとも一台の情報端末と、からなり、それぞれが備える通信部を介してデータの送受信を行う情報処理システムであって、
前記門扉開閉制御により開閉される門扉は通常閉じた状態にあり、前記複合型情報読取書込装置が前記電波情報読取書込部により前記データキャリアから門扉の開門を要求するデータを読み取り、門扉の開門を要求する命令を前記情報端末へ送信すると、前記門扉が開門されることを特徴とする情報処理システム。
【請求項３２】
請求項３１記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記門扉の開門を要求するデータを読み取ると、前記門扉の開門を要求する命令を前記情報端末へ送信することを特徴とする情報処理システム。
【発明の詳細な説明】
【技術分野】
【０００１】
本発明は、光学情報読取機能と電波情報読取書込機能とを備えた複合型情報読取書込装置、およびそれを用いた情報処理システムに関する。
【背景技術】
【０００２】
近年、商品管理、生産管理、工程管理を自動化することを目的として、物品にバーコードなどの光学情報を貼り付けたり、作業者にデータの読み書きが可能なＩＣカードなどのデータキャリアを所持させたりしておき、必要に応じて光学情報の読み取りやデータキャリアへのデータの読み書きを行うことで、物品の管理や作業者の業務管理を自動化した情報処理システムが開発されている。
【０００３】
データキャリアと読取書込装置間の通信方式には接触式と非接触式があるが、カードを読取書込装置にかざすだけでデータの読み書きができる使い勝手の良さから、現在、電波を介して読み書きを行う非接触式ＩＣカードの普及がすすんでいる。この非接触式ＩＣカードは、特にＲＦＩＤ（Ｒａｄｉｏ  Ｆｒｅｑｕｅｎｃｙ  Ｉｄｅｎｔｉｆｉｃａｔｉｏｎ）と呼ばれる。
【０００４】
情報処理システムの代表的なものに、レジシステムがある。レジシステムは、購入者が商品をレジのところに運び、販売員がレジ装置（情報端末）のバーコード読取機能（光学情報読取機能）を用いて、商品に貼付されたバーコード（光学情報）を読み取り、商品の代金を購入者に請求するものである。
【０００５】
また、バーコード読取機能を利用して、所定のバーコードを読み取ったときに、レジ装置に特定の業務処理が呼び出されるようにしたレジシステムもある。
また、レジ装置にバーコード読取機能に加えて、ＲＦＩＤに対してデータの読み取りや書き込みを行う電波情報読取書込機能を備えさせ、購入者を認証するデータを予め書き込んだＲＦＩＤを購入者に所持させておき、販売員が購入者に代金を請求する際に、ＲＦＩＤによる個人認証を行ったうえで決済を行うことができるようにしたレジシステムも登場してきている。
【０００６】
また、固定式に対抗する可搬式のレジ装置として、商品を運搬する籠にバーコード読取機能を具備させたものが提案されている。（例えば、特許文献１参照。）
しかしながら、店舗内の全ての籠にバーコード読取機能を付加する場合、コスト増の要因となる。
【０００７】
また、レジ装置におけるバーコード読取機能は、商品に貼り付けられたバーコードを読み取る以外に、レジ装置において販売員向けの業務処理を呼び出すときにも利用されることから、販売員以外の第三者によるバーコード読取機能の使用を防止する手段が要求されている。
【０００８】
さらに、レジシステムにおいて、販売員であることを認証する手段を備えさせてセキュリティ性を高めたり、販売員の作業実績を管理できるようにすることが要求されている。
【特許文献１】特開平６−１１９５５５号公報
【発明の開示】
【発明が解決しようとする課題】
【０００９】
本発明は、上記問題点に鑑み、光学情報読取部および電波情報読取書込部を備える複合型情報読取書込装置の電波情報読取機能により作業者が所持するデータキャリアから「光学情報読取部の利用許可を与えるデータ」を読み取った場合にのみ、複合型情報読取書込装置の光学情報読取機能を有効にすることにより、正当な作業者以外の第三者による光学情報読取機能を利用した業務処理を禁止できるセキュリティ性の高い複合型情報読取書込装置、およびそれを用いた情報処理システムを提供することを目的とする。
【００１０】
さらに、本発明は、作業者に複合型情報読取書込装置へのパスワード入力を促し、複合型情報読取書込装置の電波情報読取機能により作業者が所持するデータキャリアから読み取った認証データと比較して、正当な作業者であることを認証した場合にのみ、上述した「光学情報読取部の利用許可を与えるデータ」の読取処理を行うことにより、よりセキュリティ性を高めることができる複合型情報読取書込装置、およびそれを用いた情報処理システムを提供することを目的とする。
【００１１】
また、本発明は、複合型情報読取書込装置と情報端末間でデータの送受信を行う情報処理システムにおいて、複合型情報読取書込装置の電波情報読取機能により作業者が所持するデータキャリアから「情報端末とのデータの送受信を許可するデータ」を読み取った場合にのみ、複合型情報読取書込装置の通信部の機能を有効にすることにより、複合型情報読取書込装置から情報端末への不正なデータ入力を禁止できるセキュリティ性の高い複合型情報読取書込装置、およびそれを用いた情報処理システムを提供することを目的とする。このように情報端末への不正なデータ入力を禁止できるので、情報端末において、正当な作業者以外の第三者による光学情報読取機能を用いた業務処理の呼び出しを禁止できる。
【００１２】
また、本発明は、複合型情報読取書込装置の光学情報読取機能が有効となった時刻を、複合型情報読取書込装置内蔵の記憶部や作業者が所持するデータキャリアに記憶させることにより、作業者の作業実績を管理できる複合型情報読取書込装置、およびそれを用いた情報処理システムを提供することを目的とする。
【００１３】
また、本発明は、複合型情報読取書込装置と情報端末間でデータの送受信を行う情報処理システムにおいて、複合型情報読取書込装置が情報端末から所定の命令を受け取った時刻を、複合型情報読取書込装置内蔵の記憶部や作業者が所持するデータキャリアに記憶させることにより、情報端末−複合型情報読取書込装置間の通信状況を管理できる複合型情報読取書込装置、およびそれを用いた情報処理システムを提供することを目的とする。
【００１４】
また、本発明は、複合型情報読取書込装置と情報端末間でデータの送受信を行う情報処理システムにおいて、複合型情報読取書込装置の光学情報読取機能や電波情報読取書込機能を情報端末からの命令により有効とすることにより、複合型情報読取書込装置の機能を情報端末側で制限・管理することができるセキュリティ性の高い複合型情報読取書込装置、およびそれを用いた情報処理システムを提供することを目的とする。
【００１５】
また、本発明は、複合型情報読取書込装置と情報端末間でデータの送受信を行う情報処理システムにおいて、複合型情報読取書込装置の電波情報読取機能により作業者が所持するデータキャリアから「特定の処理を要求するデータ」を読み取り、複合型情報読取書込装置がその特定の処理の実行を情報端末へ命令する場合にのみ、情報端末がその処理を実行することにより、セキュリティ性を高めることができる複合型情報読取書込装置、およびそれを用いた情報処理システムを提供することを目的とする。
【課題を解決するための手段】
【００１６】
本発明の請求項１記載の複合型情報読取書込装置は、光学情報の読み取り処理を行う光学情報読取部と、データキャリアに対して電波情報の読み取り処理と書き込み処理を行う電波情報読取書込部とを備え、前記電波情報読取書込部により前記データキャリアから前記光学情報読取部の利用を許可するデータを読み取ると、前記光学情報読取部の機能を有効にすることを特徴とする。
【００１７】
本発明の請求項２記載の複合型情報読取書込装置は、請求項１記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記光学情報読取部の利用を許可するデータを読み取ると、前記光学情報読取部の機能を有効にすることを特徴とする。
【００１８】
本発明の請求項３記載の複合型情報読取書込装置は、請求項１もしくは２のいずれかに記載の複合型情報読取書込装置であって、情報端末とデータの送受信を行う通信部を備え、前記電波情報読取書込部により前記データキャリアから前記通信部を介した前記情報端末とのデータの送受信を許可するデータを読み取ると、前記通信部の機能を有効にすることを特徴とする。
【００１９】
本発明の請求項４記載の複合型情報読取書込装置は、請求項１乃至３のいずれかに記載の複合型情報読取書込装置であって、時計部と、前記時計部から得た時刻を記憶する記憶部とを備え、前記光学情報読取部の機能が有効になった時刻を前記記憶部に記憶することを特徴とする。
【００２０】
本発明の請求項５記載の複合型情報読取書込装置は、請求項１乃至３のいずれかに記載の複合型情報読取書込装置であって、時計部を備え、前記光学情報読取部の機能が有効になった時刻を前記電波情報読取書込部により前記データキャリアへ書き込むことを特徴とする。
【００２１】
本発明の請求項６記載の複合型情報読取書込装置は、光学情報の読み取り処理を行う光学情報読取部と、データキャリアに対して電波情報の読み取り処理と書き込み処理を行う電波情報読取書込部と、情報端末とデータの送受信を行う通信部と、時計部と、前記時計部から得た時刻を記憶する記憶部とを備え、前記通信部を介して前記情報端末より所定の命令を受け取った時刻を前記記憶部に記憶することを特徴とする。
【００２２】
本発明の請求項７記載の複合型情報読取書込装置は、光学情報の読み取り処理を行う光学情報読取部と、データキャリアに対して電波情報の読み取り処理と書き込み処理を行う電波情報読取書込部と、情報端末とデータの送受信を行う通信部と、時計部と、を備え、前記通信部を介して前記情報端末より所定の命令を受け取った時刻を前記電波情報読取書込部により前記データキャリアへ書き込むことを特徴とする。
【００２３】
本発明の請求項８記載の複合型情報読取書込装置は、請求項６記載の複合型情報読取書込装置であって、前記通信部の機能が有効になると、前記通信部を介して前記情報端末へ接続の確立を要求する命令を送信し、前記通信部を介して前記情報端末から接続要求を受けつけたことを通知する命令を受信し、この命令を受け取った時刻を前記記憶部に記憶することを特徴とする。
【００２４】
本発明の請求項９記載の複合型情報読取書込装置は、請求項７記載の複合型情報読取書込装置であって、前記通信部の機能が有効になると、前記通信部を介して前記情報端末へ接続の確立を要求する命令を送信し、前記通信部を介して前記情報端末から接続要求を受けつけたことを通知する命令を受信し、この命令を受け取った時刻を前記データキャリアへ書き込むことを特徴とする。
【００２５】
本発明の請求項１０記載の複合型情報読取書込装置は、光学情報の読み取り処理を行う光学情報読取部と、データキャリアに対して電波情報の読み取り処理と書き込み処理を行う電波情報読取書込部と、情報端末とデータの送受信を行う通信部とを備え、前記情報端末から送信される前記光学情報読取部の機能を有効にする命令もしくは前記電波情報読取書込部の機能を有効にする命令の少なくとも一方を受けて、前記光学情報読取部もしくは前記電波情報読取書込部の少なくとも一方の機能を有効にすることを特徴とする。
【００２６】
本発明の請求項１１記載の複合型情報読取書込装置は、光学情報の読み取り処理を行う光学情報読取部と、データキャリアに対して電波情報の読み取り処理と書き込み処理を行う電波情報読取書込部と、情報端末とデータの送受信を行う通信部とを備え、前記電波情報読取書込部により前記データキャリアから前記情報端末が備える入力部の機能を有効にするデータを読み取ると、前記通信部を介して前記情報端末が備える入力部の機能を有効にする命令を前記情報端末へ送信することを特徴とする。
【００２７】
本発明の請求項１２記載の複合型情報読取書込装置は、請求項１１記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記情報端末が備える入力部の機能を有効にするデータを読み取ると、前記通信部を介して前記情報端末が備える入力部の機能を有効にする命令を前記情報端末へ送信することを特徴とする。
【００２８】
本発明の請求項１３記載の複合型情報読取書込装置は、光学情報の読み取り処理を行う光学情報読取部と、データキャリアに対して電波情報の読み取り処理と書き込み処理を行う電波情報読取書込部と、金銭収納部を備える情報端末とデータの送受信を行う通信部と備え、前記電波情報読取書込部により前記データキャリアから金銭収納部の開放を要求するデータを読み取ると、前記通信部を介して金銭収納部の開放を要求する命令を前記情報端末へ送信することを特徴とする。
【００２９】
本発明の請求項１４記載の複合型情報読取書込装置は、請求項１３記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記金銭収納部の開放を要求するデータを読み取ると、前記通信部を介して前記金銭収納部の開放を要求する命令を前記情報端末へ送信することを特徴とする。
【００３０】
本発明の請求項１５記載の複合型情報読取書込装置は、光学情報の読み取り処理を行う光学情報読取部と、データキャリアに対して電波情報の読み取り処理と書き込み処理を行う電波情報読取書込部と、門扉開閉制御部を備える情報端末とデータの送受信を行う通信部とを備え、前記電波情報読取書込部により前記データキャリアから門扉の開門を要求するデータを読み取ると、前記通信部を介して門扉の開門を要求する命令を前記情報端末へ送信することを特徴とする。
【００３１】
本発明の請求項１６記載の複合型情報読取書込装置は、請求項１５記載の複合型情報読取書込装置であって、パスワードを入力する入力部を備え、前記入力部により入力されたパスワードと、前記電波情報読取書込部により前記データキャリアから読み取った認証データとが一致し、前記電波情報読取書込部により前記データキャリアから前記門扉の開門を要求するデータを読み取ると、前記通信部を介して前記門扉の開門を要求する命令を前記情報端末へ送信することを特徴とする。
【００３２】
本発明の請求項１７記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、前記複合型情報読取書込装置は、前記電波情報読取書込部により前記データキャリアから前記光学情報読取部の利用を許可するデータを読み取ると、前記光学情報読取部の機能を有効にすることを特徴とする。
【００３３】
本発明の請求項１８記載の情報処理システムは、請求項１７記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記光学情報読取部の利用を許可するデータを読み取ると、前記光学情報読取部の機能を有効にすることを特徴とする。
【００３４】
本発明の請求項１９記載の情報処理システムは、請求項１７もしくは１８のいずれかに記載の情報処理システムであって、前記複合型情報読取書込装置は、前記電波情報読取書込部により前記データキャリアから前記情報端末とのデータの送受信を許可するデータを読み取ると、前記複合型情報読取書込装置の通信部の機能を有効にすることを特徴とする。
【００３５】
本発明の請求項２０記載の情報処理システムは、請求項１７乃至１９のいずれかに記載の情報処理システムであって、前記複合型情報読取書込装置は時計部と前記時計部から得た時刻を記憶する記憶部とを備え、前記光学情報読取部の機能が有効になった時刻を前記記憶部に記憶することを特徴とする。
【００３６】
本発明の請求項２１記載の情報処理システムは、請求項１７乃至１９のいずれかに記載の情報処理システムであって、前記複合型情報読取書込装置は時計部を備え、前記光学情報読取部の機能が有効になった時刻を前記電波情報読取書込部により前記データキャリアへ書き込むことを特徴とする。
【００３７】
本発明の請求項２２記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、前記複合型情報読取書込装置は時計部と前記時計部から得た時刻を記憶する記憶部とを備え、前記情報端末より所定の命令を受け取った時刻を前記記憶部に記憶することを特徴とする。
【００３８】
本発明の請求項２３記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、前記複合型情報読取書込装置は時計部を備え、前記情報端末より所定の命令を受け取った時刻を前記電波情報読取書込部により前記データキャリアへ書き込むことを特徴とする。
【００３９】
本発明の請求項２４記載の情報処理システムは、請求項２２記載の情報処理システムであって、前記複合型情報読取書込装置は、前記複合型情報読取書込装置の通信部の機能が有効になると、前記情報端末へ接続の確立を要求する命令を送信し、前記情報端末から接続要求を受けつけたことを通知する命令を受信し、この命令を受け取った時刻を前記記憶部に記憶することを特徴とする。
【００４０】
本発明の請求項２５記載の情報処理システムは、請求項２３記載の情報処理システムであって、前記複合型情報読取書込装置は、前記複合型情報読取書込装置の通信部の機能が有効になると、前記情報端末へ接続の確立を要求する命令を送信し、前記情報端末から接続要求を受けつけたことを通知する命令を受信し、この命令を受け取った時刻を前記データキャリアへ書き込むことを特徴とする。
【００４１】
本発明の請求項２６記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、前記情報端末は前記光学情報読取部の機能を有効にする命令もしくは前記電波情報読取書込部の機能を有効にする命令の少なくとも一方を記憶しており、前記複合型情報読取書込装置は前記情報端末からこれらの命令のうちの少なくとも一方を受けて、前記光学情報読取部もしくは前記電波情報読取書込部の少なくとも一方の機能を有効にすることを特徴とする。
【００４２】
本発明の請求項２７記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、少なくとも一台の情報端末と、からなり、それぞれが備える通信部を介してデータの送受信を行う情報処理システムであって、前記情報端末が備える入力部の機能は通常無効状態になっており、前記複合型情報読取書込装置が前記電波情報読取書込部により前記データキャリアから前記情報端末が備える入力部の機能を有効にするデータを読み取り、前記情報端末が備える入力部の機能を有効にする命令を前記情報端末へ送信すると、前記情報端末が備える入力部の機能は有効になることを特徴とする。
【００４３】
本発明の請求項２８記載の情報処理システムは、請求項２７記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記情報端末が備える入力部の機能を有効にするデータを読み取ると、前記情報端末が備える入力部の機能を有効にする命令を前記情報端末へ送信することを特徴とする。
【００４４】
本発明の請求項２９記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、金銭収納部を備える少なくとも一台の情報端末と、からなり、それぞれが備える通信部を介してデータの送受信を行う情報処理システムであって、前記金銭収納部は通常閉じた状態にあり、前記複合型情報読取書込装置が前記電波情報読取書込部により前記データキャリアから金銭収納部の開放を要求するデータを読み取り、金銭収納部の開放を要求する命令を前記情報端末へ送信すると、前記金銭収納部が開放されることを特徴とする。
【００４５】
本発明の請求項３０記載の情報処理システムは、請求項２９記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記金銭収納部の開放を要求するデータを読み取ると、前記金銭収納部の開放を要求する命令を前記情報端末へ送信することを特徴とする。
【００４６】
本発明の請求項３１記載の情報処理システムは、光学情報の読み取り処理を行う光学情報読取部とデータキャリアに対して電波情報の読み取り処理と書き込み処理を行う電波情報読取書込部とを備える少なくとも一台の複合型情報読取書込装置と、門扉開閉制御を備える少なくとも一台の情報端末と、からなり、それぞれが備える通信部を介してデータの送受信を行う情報処理システムであって、前記門扉開閉制御により開閉される門扉は通常閉じた状態にあり、前記複合型情報読取書込装置が前記電波情報読取書込部により前記データキャリアから門扉の開門を要求するデータを読み取り、門扉の開門を要求する命令を前記情報端末へ送信すると、前記門扉が開門されることを特徴とする。
【００４７】
本発明の請求項３２記載の情報処理システムは、請求項３１記載の情報処理システムであって、前記複合型情報読取書込装置はパスワードを入力する入力部を備え、前記入力部により入力されたパスワードと、前記電波情報読取書込部により前記データキャリアから読み取った認証データとが一致し、前記電波情報読取書込部により前記データキャリアから前記門扉の開門を要求するデータを読み取ると、前記門扉の開門を要求する命令を前記情報端末へ送信することを特徴とする。
【発明の効果】
【００４８】
本発明によれば、作業者が所持するデータキャリアから「光学情報読取部の利用許可を与えるデータ」を読み取った場合にのみ光学情報読取機能が有効となるので、正当な作業者以外の第三者による光学情報読取機能を利用した業務処理を禁止することができ、複合型情報読取書込装置や、それを用いた情報処理システムのセキュリティ性を高めることができる。
【００４９】
さらに、作業者にパスワード入力を促し、データキャリアから読み取った認証データと比較して正当な作業者であることを認証した場合にのみ、上述した「光学情報読取部の利用許可を与えるデータ」の読取処理を行うので、よりセキュリティ性を高めることができる。
【００５０】
また、複合型情報読取書込装置と情報端末間でデータの送受信を行う情報処理システムにおいて、作業者が所持するデータキャリアから「情報端末とのデータの送受信を許可するデータ」を読み取った場合にのみ複合型情報読取書込装置の通信部の機能を有効とするので、複合型情報読取書込装置から情報端末への不正なデータ入力を禁止することができ、情報端末において、正当な作業者以外の第三者による光学情報読取機能を用いた業務処理の呼び出しを禁止でき、複合型情報読取書込装置や、それを用いた情報処理システムのセキュリティ性を高めることができる。
【００５１】
また、光学情報読取部の機能が有効となった時刻を、複合型情報読取書込装置内蔵の記憶部や作業者が所持するデータキャリアに記憶させるので、作業者の作業実績を管理できるようになる。
【００５２】
また、複合型情報読取書込装置と情報端末間でデータの送受信を行う情報処理システムにおいて、複合型情報読取書込装置が情報端末から所定の命令を受け取った時刻を、複合型情報読取書込装置内蔵の記憶部や作業者が所持するデータキャリアに記憶させるので、情報端末−複合型情報読取書込装置間の通信状況を管理できるようになり、作業者の作業実績を管理できるようになる。
【００５３】
また、複合型情報読取書込装置と情報端末間でデータの送受信を行う情報処理システムにおいて、複合型情報読取書込装置の光学情報読取機能や電波情報読取書込機能が情報端末からの命令により有効となるようにするので、複合型情報読取書込装置の機能を情報端末側で制限・管理することができる。したがって、情報端末側で、複合型情報読取書込装置を用いた業務処理を制限・管理でき、またデータキャリア内のデータの書き換えも制限・管理でき、複合型情報読取書込装置や、それを用いた情報処理システムのセキュリティ性を高めることができる。
【００５４】
また、複合型情報読取書込装置と情報端末間でデータの送受信を行う情報処理システムにおいて、作業者が所持するデータキャリアから「特定の処理を要求するデータ」を読み取り、複合型情報読取書込装置がその特定の処理の実行を情報端末へ命令する場合にのみ、情報端末がその処理を実行するので、複合型情報読取書込装置や、それを用いた情報処理システムのセキュリティ性を高めることができる。「特定の処理」とは、例えば情報処理システムがレジシステムの場合には、キー操作によるキー入力処理や金銭収納部の開放処理などであり、入退出管理システムの場合には、門扉の開門処理である。
【発明を実施するための最良の形態】
【００５５】
以下、本発明の実施の形態について、図面を交えて説明する。
（実施の形態１）
図１は、本実施の形態１における携帯型の複合型情報読取書込装置の外形を表す図であり、図１（ａ）はその側面図、図１（ｂ）はその上面図である。図１において、１０１は携帯型の複合型情報読取書込装置のケース、１０２はバーコードなどの光学情報からの反射光を取り込むためにケース１０１の前面に形成された孔部を示す。
【００５６】
ケース１０１上面において、１０３は本体電源の投入信号または遮断信号を入力するための電源キー、１０４はＲＦＩＤなどのデータキャリアに対するデータの読取書込処理の開始信号を入力するためのトリガキーを示す。また、１０５は数値情報などを入力するためのテンキーを示し、このテンキー１０５において、１０６は作業の決定信号を入力するための決定キーを示す。また、１０７は作業内容に応じた機能を自由に割付可能なファンクションキー、１０８は各種情報を表示するための液晶ディスプレイを示す。
【００５７】
なお、ＲＦＩＤと非接触通信を行うためのアンテナヘッドを、アンテナ線を巻いた棒状のフェライトで構成して、孔部１０２の側面内部に照射光を遮らないように内蔵することで、ケース１０１を手のひらに収まる形状・寸法に構成することができる。
【００５８】
これにより、複合型情報読取書込装置を携帯化できるので、複合型情報読取書込装置を用いた情報処理システム（例えば、レジシステム）において、作業者が情報端末（例えば、レジ装置）から離れて他の作業を並行して行うことが可能となる。
【００５９】
図２は、本実施の形態１における携帯型の複合型情報読取書込装置の概略構成を示すブロック図である。図２において、２１０はバーコード（光学情報）を示す。このバーコード２１０は、例えば商品に貼り付けられている。２２０はＲＦＩＤ（データキャリア）を示す。このＲＦＩＤ２２０は作業者が所持する。２３０は複合型情報読取書込装置を示す。
【００６０】
複合型情報読取書込装置２３０において、２３１はバーコードの読み取り処理を行う光学情報読取部、２３２はＲＦＩＤに対して電波情報の読み取り処理と書き込み処理を行う電波情報読取書込部、２３３は複合型情報読取書込装置２３０を構成する機能を統括する制御部、２３４は各種データの処理を行う情報処理部、２３５は液晶ディスプレイ１０８に作業情報を表示する表示部、２３６は電源キー１０３等のキー入力を受け付ける入力部、２３７は各種データを格納する記憶部を示す。
【００６１】
なお、光学情報読取部２３１並びに電波情報読取書込部２３２は、制御部２３３からの起動信号がＯＮ状態となることで起動する構成とする。また、複合型情報読取書込装置２３０の電源投入時における起動信号はＯＦＦ状態とする。つまり、本体への電源投入時における光学情報読取部２３１並びに電波情報読取書込部２３２の機能は無効状態になる。
【００６２】
図３は、本実施の形態１におけるＲＦＩＤの内蔵メモリマップである。
図３に示すように、ＲＦＩＤ２２０の内蔵メモリはアドレスで管理される複数のエリアに分割され、各エリアに格納するデータの種別は予め既定されているものとする。例えば、エリアアドレス０（Ａｄｒ‘０’）を「ＲＦＩＤ固有のＩＤ」を格納するエリアに規定し、エリアアドレスｘ（Ａｄｒ‘ｘ’）を「光学情報読取部の利用を許可するコード（以下、利用許可コードと称す。）もしくは光学情報読取部の利用を許可しないコード（以下、利用不許可コードと称す。）」を格納するエリアに既定する。
【００６３】
続いて、光学情報読取部２３１の機能を有効にするときの動作について説明する。
まず、作業者による電源キー１０３の押下により、制御部２３３は各キー１０４〜１０７の入力待ちの状態になる。次に、作業者によるトリガキー１０４の押下により、制御部２３３は、電波情報読取書込部２３２の機能を有効にするための起動信号をＯＮ状態にする。このとき、本装置２３０内蔵のアンテナヘッドに数１００［ｋＨｚ］の信号電流を通電することで、アンテナヘッドとＲＦＩＤ２２０の間に誘導電磁界を発生させ、その誘導電磁界を利用してアンテナヘッド近傍にあるＲＦＩＤ２２０へ電力を供給する。
【００６４】
次に、制御部２３３が、「光学情報読取部の利用許可コードもしくは利用不許可コード」を格納するエリアのエリアアドレスｘを指定した「ＲＦＩＤデータ読取命令」を電波情報読取書込部２３２に渡すと、この命令は誘導電磁界を介して、つまり電波情報となって作業者が所持するＲＦＩＤ２２０に与えられる。
【００６５】
ＲＦＩＤ２２０はこの命令で指定されたエリアのデータ（以下、指定エリアデータと称す。）を含むレスポンス・データを電波情報読取書込部２３２に返す。
以上の動作により、制御部２３３は「指定エリアデータ」を読み取ることができる。
【００６６】
次に、制御部２３３は、作業者が所持するＲＦＩＤ２２０から読み取った「指定エリアデータ」を情報処理部２３４に渡す。このとき、制御部２３３は記憶部２３７に予め格納されている「光情報読取部の利用許可コード」を取り出して情報処理部２３４に渡す。
【００６７】
次に、情報処理部２３４は、ＲＦＩＤ２２０から読み取った「指定エリアデータ」を記憶部２３７に予め格納されている「光情報読取部の利用許可コード」に当てはめ、一致すると判定した場合、「一致」の判定結果を制御部２３３に返す。また、不一致と判定した場合には「不一致」の判定結果を制御部２３３に返す。
【００６８】
次に、制御部２３３は、情報処理部２３４から受け取った判定結果が「不一致」であった場合、光学情報読取部２３１の機能を停止したままの状態にする。また、「一致」であった場合、光学情報読取部２３１の機能を有効にするための起動信号をＯＮ状態とし、以降、本体の電源が遮断されるまで光学情報読取部２３１の利用を許可する。
【００６９】
なお、光学情報読取部２３１の機能が有効になったことを作業者に伝えるために、制御部２３３が表示部２３５を制御して「バーコードユウコウ」のメッセージを液晶ディスプレイ１０８に表示するようにしてもよい。
【００７０】
以上のように、ＲＦＩＤ内蔵メモリの所定のエリアから読み取ったデータを「光学情報読取部の利用を許可するデータ（光情報読取部の利用許可コード）」と認識した場合にのみ光学情報読取部の機能を有効とするので、ＲＦＩＤを所持しない第三者が、バーコード読取機能を利用した商品のデータ入力などの業務処理を行うことを禁止でき、複合型情報読取書込装置や、それを用いた情報処理システムのセキュリティ性を高めることができる。
【００７１】
（実施の形態２）
以下、本実施の形態２について、図１、図２、図４を用いて説明する。但し、前述した実施の形態１と同じ構成を有する部材には同一の番号を付して、詳細な説明を省略する。
【００７２】
実施の形態１と異なるのは、ＲＦＩＤから読み取った所定のデータを「光学情報読取部の利用を許可するデータ」と認識することに加えて、正当な作業者であることを認証した場合に光学情報読取部の機能を有効とする点である。
【００７３】
図４は、本実施の形態２におけるＲＦＩＤ２２０の内蔵メモリマップである。図３に示すメモリマップと異なるのは、「作業者を認証するためのデータ」である「認証コード」を格納するエリアが規定されている点である。図４に示す例では、エリアアドレスａ（Ａｄｒ‘ａ’）が「認証コード」を格納するエリアに規定されている。
【００７４】
続いて、光学情報読取部２３１の機能を有効にするときの動作について説明する。
まず、実施の形態１と同様に、作業者による電源キー１０３の押下に続きトリガキー１０４の押下により、制御部２３３は、電波情報読取書込部２３２の機能を有効にするための起動信号をＯＮ状態とする。
【００７５】
次に、制御部２３３は「認証コード」を格納するエリアのエリアアドレスａを指定した「ＲＦＩＤデータ読取命令」を作業者が所持するＲＦＩＤ２２０に与えることで、「認証コード」を読み取る。そして、制御部２３３はこのＲＦＩＤ２２０から読み取った「認証コード」を一旦記憶部２３７に格納する。
【００７６】
次に、作業者によるパスワード入力を要求するために、制御部２３３は表示部２３５を制御して「パスワードヲニュウリョクシテクダサイ」のメッセージを液晶ディスプレイ１０８に表示する。パスワード入力を要求してから一定時間内に作業者による決定キー１０６の操作がなければ、パスワード未入力として作業を中断する。テンキー１０５の押下により複数桁の数値が入力され、決定キー１０６が押下されると、制御部２３３は入力部２３６からパスワードが入力されたと判断し、そのパスワードデータを情報処理部２３４に渡す。このとき、制御部２３３は記憶部２３７に一旦格納した「認証コード」を取り出して情報処理部２３４に渡す。
【００７７】
次に、情報処理部２３４は、作業者が所持するＲＦＩＤ２２０から読み取った「認証コード」と作業者により入力されたパスワードデータを比較し、一致すると判定した場合、「一致」の判定結果を制御部２３３に返す。また、不一致と判定した場合には「不一致」の判定結果を制御部２３３に返す。
【００７８】
次に、制御部２３３は、情報処理部２３４から受け取った判定結果が「不一致」であった場合、液晶ディスプレイ１０８に「パスワードガチガイマス」のメッセージを表示させ、作業を中断する。また、判定結果が「一致」であった場合には、実施の形態１と同様に、ＲＦＩＤから読み取った所定のデータを「光学情報読取部の利用を許可するデータ」と認識した場合にのみ光学情報読取部の機能を有効とする。
【００７９】
以上のように、パスワード入力を作業者に要求するとともに、ＲＦＩＤ内蔵メモリの所定のエリアから「作業者を認証するためのデータ（認証コード）」を読み取り、これらを比較して正当な作業者であることを認証した場合にのみ、ＲＦＩＤ内蔵メモリの所定のエリアから読み取ったデータが「光学情報読取部の利用を許可するデータ」であるか否かを判定するので、複合型情報読取書込装置や、それを用いた情報処理システムのセキュリティ性をより高めることができる。
【００８０】
（実施の形態３）
以下、本実施の形態３について、図５、図６を用いて説明する。但し、前述した実施の形態２と同じ構成を有する部材には同一の番号を付して、詳細な説明を省略する。
【００８１】
実施の形態２と異なるのは、複合型情報読取書込装置がレジ機能を備えた情報端末とデータの送受信を行う通信部を備え、光学情報読取部の機能を有効としたとき、ＲＦＩＤ内蔵メモリの所定のエリアからデータを読み取り、このデータを「情報端末とのデータの送受信を許可するデータ」と認識した場合にのみその通信部の機能を有効とする点である。
【００８２】
図５は、本実施の形態３における情報処理システム（レジシステム）の概略を示すブロック図である。
図５において、３１０はレジ機能を備えた情報端末、３１１は情報端末３１０を構成する機能を統括する制御部、３１２は外部機器と通信を行うための有線方式または無線方式の通信部、３１３は情報端末３１０が備える液晶ディスプレイに各種情報を表示させる表示部、３１４は情報端末３１０が備える各種キーからのキー入力を受け付ける入力部を示す。また、複合型情報読取書込装置２３０において、３０１は情報端末３１０と通信を行うための有線方式または無線方式の通信部を示す。
【００８３】
また、本実施の形態３において、光学情報読取部２３１、電波情報読取書込部２３２、並びに通信部３０１は、制御部２３３からの起動信号がＯＮ状態となることで起動する構成とする。また、複合型情報読取書込装置２３０の電源投入時における起動信号はＯＦＦ状態とする。つまり、本体への電源投入時における光学情報読取部２３１、電波情報読取書込部２３２、並びに通信部３０１の機能は無効状態になる。
【００８４】
図６は、本実施の形態３におけるＲＦＩＤの内蔵メモリマップである。図４に示すメモリマップと異なるのは、「情報端末とのデータの送受信を許可するデータ」である「情報端末へのデータ入力を許可するコード（以下、データ入力許可コードと称す。）もしくは情報端末へのデータ入力を許可しないコード（以下、データ入力不許可コードと称す。）」を格納するエリアが既定されている点である。図６に示す例では、エリアアドレスｙ（Ａｄｒ‘ｙ’）がそのコードを格納するエリアに規定されている。
【００８５】
続いて、通信部３０１の機能を有効にするときの動作について説明する。
光学情報読取部２３１の機能が有効となるまでの動作は、実施の形態１もしくは実施の形態２と同様であるのでその説明を省略する。
【００８６】
光学情報読取部２３１の機能が有効となったとき、制御部２３３は「情報端末へのデータ入力許可コードもしくはデータ入力不許可コード」を格納するエリアのエリアアドレスｙを指定した「ＲＦＩＤデータ読取命令」をＲＦＩＤ２２０に与えることで、「指定エリアデータ」を読み取る。
【００８７】
次に、制御部２３３はこの作業者が所持するＲＦＩＤ２２０から読み取った「指定エリアデータ」を情報処理部２３４に渡す。このとき、制御部２３３は記憶部２３７に予め格納されている「情報端末へのデータ入力許可コード」を取り出して情報処理部２３４に渡す。
【００８８】
次に、情報処理部２３４は、ＲＦＩＤ２２０から読み取った「指定エリアデータ」を記憶部２３７に予め格納されている「情報端末へのデータ入力許可コード」に当てはめ、一致すると判定した場合、「一致」の判定結果を制御部２３３に返す。また、不一致と判定した場合には「不一致」の判定結果を制御部２３３に返す。
【００８９】
次に、制御部２３３は、情報処理部２３４から受け取った判定結果が「一致」であれば通信部３０１の機能を有効にするための起動信号をＯＮ状態とし、以降、本体の電源が遮断されるまで情報端末３１０へのデータ入力を許可する。また、「不一致」であった場合には、通信部３０１機能を停止したままの状態にする。
【００９０】
このようにすれば、複合型情報読取書込装置から情報端末への不正なデータ入力を禁止することができるので、情報端末において、正当な作業者以外の第三者による光学情報読取機能を用いた業務処理の呼び出しを禁止でき、複合型情報読取書込装置や、それを用いた情報処理システムのセキュリティ性を高めることができる。また、複数の作業者が存在する情報処理システム（レジシステム）において、各員に与えられた権限に応じて、レジ機能を備える情報端末と連携させたデータ入力の許可／不許可を自動的に切り替えることができる。
【００９１】
（実施の形態４）
以下、本実施の形態４について、図７を用いて説明する。但し、前述した実施の形態３と同じ構成を有する部材には同一の番号を付して、詳細な説明を省略する。
【００９２】
図７は、本実施の形態４における情報処理システム（レジシステム）の概略を示すブロック図である。実施の形態３と異なるのは、携帯型の複合型情報読取書込装置２３０に現在時刻を得るための時計部４０１を備えさせ、光学情報読取部２３１の機能が有効となった時刻を記憶部２３７に格納する点である。
【００９３】
続いて、光学情報読取部２３１の機能が有効となった時刻を記憶部２３７に格納するときの動作について説明する。
光学情報読取部２３１の機能が有効になるまでの動作は、実施の形態３と同様であるのでその説明を省略する。
【００９４】
光学情報読取部２３１の機能が有効となったとき、制御部２３３は、「ＲＦＩＤ固有のＩＤ」を格納するエリアのエリアアドレス０を指定した「ＲＦＩＤデータ読取命令」を作業者が所持するＲＦＩＤ２２０に与えることで、「指定エリアデータ」すなわち「ＲＦＩＤ固有のＩＤ」を読み取る。
【００９５】
制御部２３３は、ＲＦＩＤ２２０から「ＲＦＩＤ固有のＩＤ」を読み取ると、現在時刻を問い合わせるための命令を時計部４０１に渡すことで現在時刻のデータを得る。そして、この「ＲＦＩＤ固有のＩＤ」と「現在時刻」を結合させた１つのテーブルデータを記憶部２３７に格納する。
【００９６】
なお、記憶部２３７へのテーブルデータの格納は、上書きせずに、上限に達するまで積み上げ式で行う。
以上のように、光学情報読取部の機能が有効となった時刻、すなわち携帯型の複合型情報読取書込装置を用いたバーコードの読取作業の開始時刻を、作業者が所持するＲＦＩＤ固有のＩＤと一緒に複合型情報読取書込装置内蔵の記憶部に記憶することで、あとで複合型情報読取書込装置の記憶部を読み出して作業者の作業実績を管理できる。
【００９７】
なお、ＲＦＩＤから読み取った「光学情報読取部の利用を許可するデータ（光情報読取部の利用許可コード）」をテーブルデータに含めれば、その業務内容を確認することができるので、より正確に作業者の作業実績を管理できるようになる。
【００９８】
（実施の形態５）
以下、本実施の形態５について、図７、図８を用いて説明する。但し、前述した実施の形態４と同じ構成を有する部材には同一の番号を付して、詳細な説明を省略する。実施の形態４と異なるのは、光学情報読取部２３１の機能が有効となった時刻を作業者が所持するＲＦＩＤ２２０に書き込む点である。
【００９９】
図８は、本実施の形態５におけるＲＦＩＤの内蔵メモリマップである。図６に示すメモリマップと異なるのは、ユーザ定義エリアが既定されている点である。図８に示す例では、エリアアドレス１〜９９（Ａｄｒ‘１’〜Ａｄｒ‘９９’）が、本装置に組み込むアプリケーションソフトによって用途が決定されるユーザ定義エリアに既定されている。
【０１００】
続いて、光学情報読取部２３１の機能が有効となった時刻をＲＦＩＤ２２０に書き込むときの動作について説明する。
光学情報読取部２３１の機能が有効となるまでの動作は、実施の形態４と同様であるのでその説明を省略する。
【０１０１】
光学情報読取部２３１の機能が有効となったとき、制御部２３３は、現在時刻を問い合わせるための命令を時計部４０１に渡すことで現在時刻データを得る。
次に、制御部２３３は、既定されている本装置固有のＩＤと現在時刻データを結合させた１つのテーブルデータと、ユーザ定義エリア内の所定のエリアアドレスを指定した「ＲＦＩＤデータ書込命令」を電波情報読取書込部２３２に渡すことで、このテーブルデータをユーザ定義エリアに書き込む。
【０１０２】
なお、ユーザ定義エリアへのテーブルデータの書き込みは、ユーザ定義エリアに空きエリアが無くなるまでアドレスを更新して行う。
以上のように、光学情報読取部の機能が有効となった時刻、すなわち携帯型の複合型情報読取書込装置を用いたバーコードの読取作業の開始時刻を、本装置固有のＩＤと一緒に作業者が保持するＲＦＩＤに書き込むことで、あとで作業者が保持するＲＦＩＤを読み出して作業者の作業実績を管理できる。
【０１０３】
なお、ＲＦＩＤから読み取った「光学情報読取部の利用を許可するデータ（光情報読取部の利用許可コード）」をテーブルデータに含めれば、その業務内容を確認することができるので、より正確に作業者の作業実績を管理できるようになる。
【０１０４】
また、実施の形態４で説明した複合型情報読取書込装置の機能と組み合わせて、光学情報読取部の機能が有効となった時刻を複合型情報読取書込装置とＲＦＩＤの両方に記憶させるようにしても、無論、よい。
【０１０５】
（実施の形態６）
以下、本実施の形態６について、図７を用いて説明する。但し、前述した実施の形態４と同じ構成を有する部材には同一の番号を付して、詳細な説明を省略する。実施の形態４と異なるのは、複合型情報読取書込装置が情報端末より所定の命令を受け取った時刻を記憶部に記憶する点である。本実施の形態６では、以下で説明するように、所定の命令として「接続要求を受け付けたことを通知する命令」を受け取った時刻を記憶することにより、携帯型の複合型情報読取書込装置とレジ機能を備える情報端末との間の接続が確立した時刻を記憶するようにした。
【０１０６】
続いて、情報端末３１０との接続が確立した時刻を記憶部２３７に格納するときの動作について説明する。
通信部３０１の機能が有効になるまでの動作は、実施の形態３と同様であるのでその説明を省略する。
【０１０７】
通信部３０１の機能が有効となった後、制御部２３３は、本装置固有のＩＤを付与した、「情報端末３１０との接続の確立を要求する命令（以下、接続要求コマンドと称す。）」を、通信部３０１を介して情報端末３１０に送信し、「接続要求を受け付けたことを通知する命令（以下、接続受付コマンドと称す。）」の受信待ち状態に遷移する。
【０１０８】
情報端末３１０の制御部３１１は、「接続要求コマンド」の受信待ちの状態で複合型情報読取書込装置２３０から「接続要求コマンド」を受信すると、情報端末固有のＩＤを付与した「接続受付コマンド」を、通信部３１２を介して複合型情報読取書込装置２３０に送信する。
【０１０９】
次に、複合型情報読取書込装置２３０の制御部２３３は、「接続受付コマンド」の受信待ち状態で情報端末３１０から「接続受付コマンド」を受信すると、複合型情報読取書込装置２３０と情報端末３１０間の接続が確立したと判定する。このとき、制御部２３３は、受信した「接続受付コマンド」から接続先の情報端末固有のＩＤを取り出し、さらに現在時刻を問い合わせるための命令を時計部４０１に渡すことで現在時刻データを得る。
【０１１０】
次に、制御部２３３は、接続先の情報端末固有のＩＤと現在時刻データを結合させた１つのテーブルデータを記憶部２３７に格納する。
なお、記憶部２３７へのテーブルデータの格納は、上書きせずに、上限に達するまで積み上げ式で行う。
【０１１１】
以上のように、情報端末から所定の命令を受け取った時刻を、接続先の情報端末固有のＩＤと一緒に本装置の記憶部に記憶することで、情報端末−本装置間の通信状況および作業者の作業実績を管理できる。
【０１１２】
なお、接続先の情報端末固有のＩＤと現在時刻のデータに加えて、本装置固有のＩＤを結合させたテーブルデータを、実施の形態５と同様の手順で、作業者が所持するＲＦＩＤ２２０に書き込むようにしてもよい。
【０１１３】
このようにすれば、あとで作業者が保持するＲＦＩＤを読み出して情報端末−本装置間の通信状況および作業者の作業実績を管理できる。
なお、本実施の形態６において、情報端末３１０から送信された「接続受付コマンド」をテーブルデータに含めれば、その動作内容を確認することができるようになる。
【０１１４】
また、情報端末から所定の命令を受け取った時刻を複合型情報読取書込装置とＲＦＩＤの両方に記憶させるようにしても、無論、よい。
（実施の形態７）
以下、本実施の形態７について説明する。但し、前述した他の実施の形態と同じ構成を有する部材には同一の番号を付して、詳細な説明を省略する。本実施の形態７は、他の実施の形態と異なり、情報端末から送信される「光学情報読取部の機能を有効にする命令」と「電波情報読取書込部の機能を有効にする命令」によって、複合型情報読取書込装置の光学情報読取部と電波情報読取書込部の機能が有効になる。
【０１１５】
続いて、複合型情報読取書込装置の光学情報読取部と電波情報読取書込部の機能が有効となるときの動作について、図１、５を適用して説明する。
本実施の形態７においては、図１に示すトリガキー１０４から、通信部３０１による通信処理の開始信号が入力されるものとする。
【０１１６】
まず、作業者による電源キー１０３の押下に続きトリガキー１０４の押下により、制御部２３３は通信部３０１の機能を有効にするための起動信号をＯＮ状態とする。
通信部３０１の機能が有効となってから、複合型情報読取書込装置２３０と情報端末３１０間の接続が確立するまでの動作は、実施の形態６で説明した手順と同様であるので、その説明を省略する。
【０１１７】
接続が確立すると、情報端末３１０の制御部３１１は、作業者からの入力待ちの状態にあることを示すために、表示部３１３を制御して液晶ディスプレイに「モバイルタンマツデシヨウスルキノウヲセンタクシテクダサイ（１）バーコード／（２）ＲＦＩＤ」と表示する。
【０１１８】
次に、作業者がキー操作により「（１）バーコード」を選択した場合、制御部３１１は、通信部３１２を介して、「光学情報読取部の機能を有効にする命令」である「光学情報読取機能の有効化を要求するコマンド」を複合型情報読取書込装置２３０に送信する。複合型情報読取書込装置２３０の制御部２３３はこのコマンドを受信したと判定すると、光学情報読取部２３１の機能を有効にするための起動信号をＯＮ状態にし、以降、本体の電源が遮断されるまで、光学情報読取部２３１の利用を許可し、本装置によるバーコード読取機能を有効にする。
【０１１９】
また、作業者がキー操作により「（２）ＲＦＩＤ」を選択した場合、制御部３１１は、通信部３１２を介して、「電波情報読取書込部の機能を有効にする命令」である「電波情報読取書込機能の有効化を要求するコマンド」を複合型情報読取書込装置２３０に送信する。複合型情報読取書込装置２３０の制御部２３３はこのコマンドを受信したと判定すると、電波情報読取書込部２３２の機能を有効にするための起動信号をＯＮ状態にし、以降、本体の電源が遮断されるまで、電波情報読取書込部２３２の利用を許可する。
【０１２０】
以上のように、本実施の形態７によれば、携帯型の複合型情報読取書込装置の機能を、レジ機能を備える情報端末側で制限・管理することができる。これにより情報端末側で、バーコード読取機能を利用した商品のデータ入力などの業務処理を制限・管理することができ、またＲＦＩＤが記憶するデータの書き換えも制限・管理することができ、複合型情報読取書込装置や、それを用いた情報処理システムのセキュリティ性を高めることができる。
【０１２１】
（実施の形態８）
以下、本実施の形態８について説明する。但し、前述した他の実施の形態と同じ構成を有する部材には同一の番号を付して、詳細な説明を省略する。本実施の形態８における情報処理システム（レジシステム）は、携帯型の複合型情報読取書込装置からレジ機能を有する情報端末へ「情報端末の入力部の機能を有効にする命令」を送信することで、該情報端末を利用できるようにした点が、他の実施の形態と異なる。
【０１２２】
図９は、本実施の形態８におけるＲＦＩＤの内蔵メモリマップである。他のメモリマップと異なるのは、「情報端末へ要求する内容を表すコード（以下、要求コードと称す。）」を格納するエリアが既定されている点である。図９に示す例では、エリアアドレスｚ（Ａｄｒ‘ｚ’）が「要求コード」を格納するエリアに規定されている。なお、ここでは、「要求コード」として、情報端末の入力部の機能を有効にするデータである「情報端末のキー入力の許可を要求するコード」を予め書き込んでおく。
【０１２３】
続いて、携帯型の複合型情報読取書込装置からレジ機能を有する情報端末へ、「情報端末の入力部の機能を有効にする命令」である「情報端末のキー入力の許可を要求するコマンド」を送信するときの動作について、図１、５を適用して説明する。
【０１２４】
なお、情報端末３１０の制御部３１１は、「情報端末のキー入力の許可を要求するコマンド」を受信するまで、入力部３１４の機能をＯＦＦ状態にすることにより、キー入力を受け付けない状態にある。
【０１２５】
また、本実施の形態８においては、図１に示すトリガキー１０４から、電波情報読取書込部２３２による読取書込処理の開始信号と、通信部３０１による通信処理の開始信号が入力されるものとする。
【０１２６】
まず、作業者による電源キー１０３の押下に続きトリガキー１０４の押下により、複合型情報読取書込装置２３０の制御部２３３は、電波情報読取書込部２３２および通信部３０１の機能を有効にするための起動信号をＯＮ状態とする。
【０１２７】
次に、制御部２３３は「要求コード」すなわち「情報端末のキー入力の許可を要求するコード」を格納するエリアのエリアアドレスｚを指定した「ＲＦＩＤデータ読取命令」をＲＦＩＤ２２０に与えることで、「指定エリアデータ」すなわち「情報端末のキー入力の許可を要求するコード」を読み取る。
【０１２８】
制御部２３３は、この作業者が保持するＲＦＩＤ２２０から読み取った「情報端末のキー入力の許可を要求するコード」を一旦記憶部２３７に格納し、「情報端末のキー入力の許可を要求するコマンド」として通信部３０１を介して情報端末３１０へ送信する。
【０１２９】
情報端末３１０の制御部３１１は、「情報端末のキー入力の許可を要求するコマンド」を受信したと判定すると、入力部３１４の機能をＯＮ状態とし、以降、本体の電源が遮断されるまで、キー入力を受け付けるようにする。
【０１３０】
以上のように、本実施の形態８によれば、ＲＦＩＤから「情報端末のキー入力の許可を要求するコード」を読み取ったときにのみ、情報端末を利用できるようにするので、ＲＦＩＤを所持しない第三者による情報処理システム（レジシステム）の不正操作を禁止でき、そのセキュリティ性を高めることができる。また、特に、ＲＦＩＤ読取機能を持たない情報端末で構成される情報処理システムにおいて有用となる。
【０１３１】
なお、実施の形態２と同様の手順で、作業者により入力部から入力されたパスワードと、作業者が所持するＲＦＩＤに格納されている「認証コード」を用いて、作業者が正当な作業者であることを認証した場合に、「情報端末のキー入力の許可を要求するコマンド」を送信するようにしてもよい。このようにすれば、よりセキュリティ性を高めることができる。
【０１３２】
（実施の形態９）
以下、本実施の形態９について説明する。但し、前述した実施の形態８と同じ構成を有する部材には同一の符号を付して、詳細な説明を省略する。実施の形態８と異なるのは、携帯型の複合型情報読取書込装置からレジ機能を有する情報端末へ「金銭収納部の開放を要求する命令」を送信することで、金銭収納部が開放されるようにした点である。
【０１３３】
図１０は、本実施の形態９における情報処理システム（レジシステム）の概略を示すブロック図である。図１０において、５０１は金銭を収納するための金銭収納部５０１を示す。
【０１３４】
なお、情報端末３１０の制御部３１１は、外部から「金銭収納部の開放を要求する命令」である「金銭収納部の開放を要求するコマンド」を受信するまで、金銭収納部５０１の機能をＯＦＦ状態にすることにより、金銭収納部５０１を閉じた状態にする。
【０１３５】
また、本実施の形態９におけるＲＦＩＤ２２０には、「要求コード」として金銭収納部の開放を要求するデータである「金銭収納部の開放を要求するコード」を予め書き込んでおく。
【０１３６】
続いて、携帯型の複合型情報読取書込装置からレジ機能を有する情報端末へ「金銭収納部の開放を要求するコマンド」を送信するときの動作について説明する。
作業者が所持するＲＦＩＤ２２０から「要求コード」すなわち「金銭収納部の開放を要求するコード」を読み取り、情報端末３１０へ「金銭収納部の開放を要求するコマンド」を送信するまでの動作は、実施の形態８と同様であるので説明を省略する。
【０１３７】
情報端末３１０の制御部３１１は、「金銭収納部の開放を要求するコマンド」を受信したと判定すると、金銭収納部５０１の機能をＯＮ状態とし、以降、手動により閉じられるまで金銭収納部５０１を開放状態とする。
【０１３８】
以上のように、本実施の形態９によれば、ＲＦＩＤから「金銭収納部の開放を要求するコード」を読み取ったときにのみ、金銭収納部を開放するので、ＲＦＩＤを所持しない第三者による金銭収納部の開放を禁止でき、レジシステムの金銭の取り扱いに対するセキュリティ性を高めることができる。また、特に、ＲＦＩＤ読取機能を持たない情報端末で構成される情報処理システムにおいて有用となる。
【０１３９】
なお、実施の形態２と同様の手順で、作業者により入力部から入力されたパスワードと、作業者が所持するＲＦＩＤに格納されている「認証コード」を用いて、作業者が正当な作業者であることを認証した場合に、「金銭収納部の開放を要求するコマンド」を情報端末に送信するようにしてもよい。このようにすれば、よりセキュリティを高めることができる。
【０１４０】
（実施の形態１０）
以下、本実施の形態１０について説明する。但し、前述した実施の形態８と同じ構成を有する部材には同一の番号を付して、詳細な説明を省略する。
【０１４１】
実施の形態３乃至９では、複合型情報読取書込装置を用いたレジシステムについて説明してきたが、本実施の形態１０では、複合型情報読取書込装置を用いた入退出管理システムについて説明する。
【０１４２】
図１１は、本実施の形態１０における情報処理システム（入退出管理システム）の概略を示すブロック図である。図１１において、６１０は門扉、６０１は門扉６１０の開閉を制御する門扉開閉制御部を示す。
【０１４３】
本実施の形態１０における入退出管理システムは、携帯型の複合型情報読取書込装置から門扉開閉機能を備える情報端末へ「開門を要求する命令」を送信することで、門扉が開放されるシステムとなっている。
【０１４４】
なお、情報端末３１０の制御部３１１は、外部から「開門を要求する命令」である「開門を要求するコマンド」を受信するまで、門扉開閉制御部６０１の設定を「閉門」にすることにより、門扉６１０を閉門の状態にする。
【０１４５】
また、本実施の形態１０におけるＲＦＩＤ２２０には、「要求コード」として門扉の開門を要求するデータである「開門を要求するコード」を予め書き込んでおく。
続いて、携帯型の複合型情報読取書込装置から門扉開閉機能を備える情報端末へ「開門を要求するコマンド」を送信するときの動作について説明する。
【０１４６】
入退出者が所持するＲＦＩＤ２２０から「要求コード」すなわち「開門を要求するコード」を読み取り、情報端末３１０へ「開門を要求するコマンド」を送信するまでの動作は、実施の形態８と同様であるので説明を省略する。
【０１４７】
情報端末３１０の制御部３１１は、「開門を要求するコマンド」を受信したと判定すると、門扉開閉制御部６０１の設定を「開門」とし、以降、既定の開門時間に達するまで設定を開門状態とする。
【０１４８】
以上のように、本実施の形態１０によれば、ＲＦＩＤから「開門を要求するコード」を読み取ったときにのみ、門扉を開門するので、ＲＦＩＤを所持しない第三者による入退出を禁止でき、入退出管理システムのセキュリティ性を高めることができる。また、特に、ＲＦＩＤ読取機能を持たない情報端末で構成される入退出管理システムにおいて有用となる。
【０１４９】
なお、実施の形態２と同様の手順で、作業者により入力部から入力されたパスワードと、作業者が所持するＲＦＩＤに格納されている「認証コード」を用いて、作業者が正当な作業者であることを認証した場合に、「開門を要求するコマンド」を情報端末に送信するようにしてもよい。このようにすれば、よりセキュリティを高めることができる。
【産業上の利用可能性】
【０１５０】
本発明にかかる複合型情報読取書込装置、およびそれを用いた情報処理システムは、第三者による不正な操作を禁止することでセキュリティ性を高めたり、作業者の作業実績を管理したりすることなどに適用できる。
【図面の簡単な説明】
【０１５１】
【図１】本発明の実施の形態１乃至１０における携帯型の複合型情報読取書込装置の外形を表す図
【図２】本発明の実施の形態１、２における携帯型の複合型情報読取書込装置の概略構成を示すブロック図
【図３】本発明の実施の形態１におけるＲＦＩＤの内蔵メモリマップを表す図
【図４】本発明の実施の形態２におけるＲＦＩＤの内蔵メモリマップを表す図
【図５】本発明の実施の形態３、７、８における情報処理システム（レジシステム）の概略を示すブロック図
【図６】本発明の実施の形態３におけるＲＦＩＤの内蔵メモリマップを表す図
【図７】本発明の実施の形態４乃至６における情報処理システム（レジシステム）の概略を示すブロック図
【図８】本発明の実施の形態５におけるＲＦＩＤの内蔵メモリマップを表す図
【図９】本発明の実施の形態８乃至１０におけるＲＦＩＤの内蔵メモリマップを表す図
【図１０】本発明の実施の形態９における情報処理システム（レジシステム）の概略を示すブロック図
【図１１】本発明の実施の形態１０における情報処理システム（入退出管理システム）の概略を示すブロック図
【符号の説明】
【０１５２】
１０１  複合型情報読取書込装置のケース
１０２  孔部
１０３  電源キー
１０４  トリガキー
１０５  テンキー
１０６  決定キー
１０７  ファンクションキー
１０８  液晶ディスプレイ
２１０  バーコード
２２０  ＲＦＩＤ
２３０  複合型情報読取書込装置
２３１  光学情報読取部
２３２  電波情報読取書込部
２３３  制御部
２３４  情報処理部
２３５  表示部
２３６  入力部
２３７  記憶部
３０１  通信部
３１０  情報端末
３１１  制御部
３１２  通信部
３１３  表示部
３１４  入力部
４０１  時計部
５０１  金銭収納部
６０１  門扉開閉制御部
６１０  門扉
【図１】
2005115792.tif 000003
【図２】
2005115792.tif 000004
【図３】
2005115792.tif 000005
【図４】
2005115792.tif 000006
【図５】
2005115792.tif 000007
【図６】
2005115792.tif 000008
【図７】
2005115792.tif 000009
【図８】
2005115792.tif 000010
【図９】
2005115792.tif 000011
【図１０】
2005115792.tif 000012
【図１１】
2005115792.tif 000013